(57)【要約】【課題】トッププレートとその周囲のカウンタ天板との高さが同じであると共に、その境界部分の高さも同じにすることが可能であり、かつ、調理器本体のケーシングとトッププレートとの密着性に優れたキッチンカウンタにおける調理器の取付構造を提供すること。【解決手段】調理器５をカウンタ天板２の取付穴２０に挿入し、トッププレート５０の外周部５５を段部２２に収容してある。カウンタ天板２とトッププレート５０の高さは同じである。トッププレート５０の外周側端部には、上面角部に傾斜面（被係合部）５６を設けてある。ケーシング６には外周フランジ部６１が設けられており、外周側端部に折り返されると共に傾斜面５６に係合する係合部７１を有している。係合部７１の上端位置はトッププレート５０の上面と同じ又はそれより低い位置に設定されている。係合部７１とカウンタ天板２との間の隙間は、シーリング材８１又はスペーサによって埋められている。【選択図】図１
2008161280.tif 000002
【特許請求の範囲】
【請求項１】
トッププレートの下方に調理器本体を配設してなる調理器を、キッチンカウンタのカウンタ天板の取付穴に挿入し、上記トッププレートの外周部を上記取付穴の外周縁部に設けた段部に収容することによって、上記カウンタ天板と上記トッププレートの高さを同じとするよう構成してなるキッチンカウンタにおける調理器の取付構造であって、
上記調理器本体を収容したケーシングの上面外周部には、上記トッププレートの裏面に当接する外周フランジ部が設けられており、
該外周フランジ部の少なくとも一部は、上記トッププレートの裏面から外周側端部に折り返されると共に、上記トッププレートの外周側端部の少なくとも一部に設けられた被係合部に係合する係合部を有しており、
該係合部の上端位置は、上記トッププレートの上面と同じ又はそれより低い位置に設定されており、
かつ、少なくとも上記係合部と上記カウンタ天板との間の隙間は、シーリング材又は／及びスペーサによって埋められていることを特徴とするキッチンカウンタにおける調理器の取付構造。
【請求項２】
請求項１にいて、上記被係合部は、上記トッププレートの外周側端部において下方に行くにしたがって外方に拡がるように傾斜した傾斜面よりなることを特徴とするキッチンカウンタにおける調理器の取付構造。
【請求項３】
請求項２において、上記係合部は、上記傾斜面に対面する対向面を形成する傾斜当接片部を有していることを特徴とするキッチンカウンタにおける調理器の取付構造。
【請求項４】
請求項３において、上記係合部は、上記トッププレートの裏面から略垂直に立ち上がった垂直立設片部と、該垂直立設片部の上端において略直角に折り曲げられて上記トッププレートの上記傾斜面に向かう上端フラット片部と、さらに上記傾斜面に対面して上記垂直立設片部に近づくように傾斜した上記傾斜当接片部とを有することを特徴とするキッチンカウンタにおける調理器の取付構造。
【請求項５】
請求項４において、上記上端フラット片部は、上記トッププレートの上面と面一となって表面に露出するよう設けられていることを特徴とするキッチンカウンタにおける調理器の取付構造。
【請求項６】
請求項４において、上記上端フラット片部は、上記トッププレートの上面よりも下方に位置するよう配設されており、その上面はシーリング材又は／及びスペーサにより覆われていることを特徴とするキッチンカウンタにおける調理器の取付構造。
【請求項７】
請求項３において、上記係合部は、上記トッププレートの裏面から直接的に上記傾斜面と同じ角度に折り曲げられた上記傾斜当接片部を有しており、該傾斜当接片部の上方はシーリング材又は／及びスペーサにより覆われていることを特徴とするキッチンカウンタにおける調理器の取付構造。
【請求項８】
請求項２〜７のいずれか１項において、上記傾斜面は平面状であることを特徴とするキッチンカウンタにおける調理器の取付構造。
【請求項９】
請求項８において、上記傾斜角度は、３０°〜６０°の範囲にあることを特徴とするキッチンカウンタにおける調理器の取り付け構造。
【請求項１０】
請求項２から７のいずれか１項において、上記傾斜面は曲面状であることを特徴とするキッチンカウンタにおける調理器の取付構造。
【請求項１１】
請求項１において、上記被係合部は、上記トッププレートの外周側端部において外方から内方へ窪んだ凹部よりなり、上記係合部は上記凹部に収容される凸部を有していることを特徴とするキッチンカウンタにおける調理器の取付構造。
【請求項１２】
請求項１において、上記被係合部は、上記トッププレートの外周側端部において外方へ突出した突出部よりなり、上記係合部は上記突出部を収容する収容部を有していることを特徴とするキッチンカウンタにおける調理器の取付構造。
【請求項１３】
請求項１１又は１２において、上記トッププレートの外周側端部の上記被係合部に上記係合部が係合している部位における、上記トッププレートの上面高さまでの間隙の少なくとも上面部分は、シーリング材又は／及びスペーサによって埋められていることを特徴とするキッチンカウンタにおける調理器の取付構造。
【請求項１４】
請求項１〜１３のいずれか１項において、上記トッププレートは、厚み２ｍｍ〜８ｍｍの結晶化ガラスよりなることを特徴とするキッチンカウンタにおける調理器の取付構造。
【発明の詳細な説明】
【技術分野】
【０００１】
本発明は、調理器のトッププレートとキッチンカウンタのカウンタ天板の高さを同じにしてあるキッチンカウンタにおける調理器の取付構造に関する。
【背景技術】
【０００２】
キッチンカウンタとしては、その上面に配されるカウンタ天板に調理器用の取付穴を設け、これに落とし込む形で調理器を設置したタイプのものがある。この場合の従来の調理器の取付構造９１としては、例えば、図１０に示すごとく、調理器５のトッププレート５０の外周部５５をカウンタ天板２の上面に載せて吊り下げる構造が多用されている（例えば特許文献１参照）。また、調理器本体を収容したケーシング６の上面外周部には、上記トッププレート５０の裏面に当接する外周フランジ部６１が設けられている。従来構造では、この外周フランジ部６１から延設されてトッププレート５０の上面まで回り込んで当接する枠体部９１５を設け、ケーシング６とトッププレート５０との密着性を高める工夫がなされている。
【０００３】
一方、キッチンカウンタの意匠性向上を目的として、調理器のトッププレートの高さとキッチンカウンタのカウンタ天板の高さを揃えたいわゆるフラットキッチンカウンタが検討されてきた。
従来のフラットキッチンカウンタにおける調理器の取付構造９２は、図１１に示すごとく、キッチンカウンタのカウンタ天板２の取付穴の外周縁部に最表面から一段下がった段部２２を設け、ここにトッププレート５０の外周部５５を収容する構造が取られている。この従来のフラットキッチンカウンタにおける調理器５の取付構造９２においても、上記と同様に、外周フランジ部６１から延設されてトッププレート５０の上面及びカウンタ天板の上面の両方に被さる枠体部９２５が設けられる。
【０００４】
このように、従来の取付構造９２においては、トッププレート５０とカウンタ天板２との高さを同じにすることはできても、上記枠体９２５がトッププレート５０及びその周囲のカウンタ天板２よりも上方にはみ出た状態となってしまう。ここで、上記枠体９２５を無くしてしまうことも考えられるが、この場合には、ケーシング６とトッププレート５０との密着性が低下してしまったり、トッププレート５０とカウンタ天板２との間から異物が内部に侵入するおそれがあるので、従来の構造では困難である。
【０００５】
【特許文献１】特開２００２−５４５５号公報
【発明の開示】
【発明が解決しようとする課題】
【０００６】
本発明は、かかる従来の問題点に鑑みてなされたもので、トッププレートとその周囲のカウンタ天板との高さが同じであると共に、その境界部分の高さも同じにすることが可能であり、かつ、調理器本体のケーシングとトッププレートとの密着性が構造的に保証されたキッチンカウンタにおける調理器の取付構造を提供しようとするものである。
【課題を解決するための手段】
【０００７】
本発明は、トッププレートの下方に調理器本体を配設してなる調理器を、キッチンカウンタのカウンタ天板の取付穴に挿入し、上記トッププレートの外周部を上記取付穴の外周縁部に設けた段部に収容することによって、上記カウンタ天板と上記トッププレートの高さを同じとするよう構成してなるキッチンカウンタにおける調理器の取付構造であって、
上記調理器本体を収容したケーシングの上面外周部には、上記トッププレートの裏面に当接する外周フランジ部が設けられており、
該外周フランジ部の少なくとも一部は、上記トッププレートの裏面から外周側端部に折り返されると共に、上記トッププレートの外周側端部の少なくとも一部に設けられた被係合部に係合する係合部を有しており、
該係合部の上端位置は、上記トッププレートの上面と同じ又はそれより低い位置に設定されており、
かつ、少なくとも上記係合部と上記カウンタ天板との間の隙間は、シーリング材又は／及びスペーサによって埋められていることを特徴とするキッチンカウンタにおける調理器の取付構造にある（請求項１）。
【０００８】
本発明のキッチンカウンタにおける調理器の取付構造は、上記のごとく、上記取付穴の外周縁部における段部に上記トッププレートの外周部を収容することによって、上記カウンタ天板とトッププレートの高さを同じとするよう構成したものである。そして、ここで注目すべき点は、上記トッププレートの外周側端部の少なくとも一部に、上記被係合部を積極的に設け、かつ、その被係合部に係合すると共にその上端位置を上記のごとく制限した上記係合部を上記外周フランジ部に設けた点である。
【０００９】
本発明では、上記係合部を上記被係合部に係合させることによって、上記外周フランジ部を有するケーシングとトッププレートの密着性を構造的に確保できる。すなわち、外周フランジ部とトッププレートとの間が開く方向の外力が働いても、上記被係合部への係合部の係合によって、それを阻止することができる。それ故、従来のようなトッププレートの上面に回り込むような枠体を設ける必要がない。
また、上記係合部の上端位置を、上記のごとく、上記トッププレートの上面と同じ又はそれより低い位置に設定することにより、トッププレートとカウンタ天板との間の境界部分に、これらの上面位置より上方に突出する要素を排除することができる。
【００１０】
また、少なくとも上記係合部と上記カウンタ天板との間の隙間は、シーリング材又はスペーサあるいは両方によって埋める構造をとることにより、トッププレートとカウンタ天板との間から異物が侵入することを防止することもできる。そして、上記係合部の上端位置がトッププレートの上面と同じでない場合には、そのギャップを上記シーリング材やスペーサによって埋めることができ、トッププレートとカウンタ天板との間の境界部分の高さも両者と同じに設定することができる。
【００１１】
このように、本発明によれば、トッププレートとその周囲のカウンタ天板との高さが同じであると共に、その境界部分の高さも同じにすることが可能であり、かつ、調理器本体のケーシングとトッププレートとの密着性に優れたキッチンカウンタにおける調理器の取付構造を提供することができる。
【発明を実施するための最良の形態】
【００１２】
本発明のキッチンカウンタにおける調理器の取付構造においては、上記のごとく、上記ケーシングの外周フランジ部に上記係合部を設ける。この係合部は、外周フランジ部から延設されるが、必ずしも一体物である必要はなく、別途作製した部品を接合して（例えば溶接）して一体化したものでもよい。
【００１３】
また、上記被係合部は、上記トッププレートの外周側端部において下方に行くにしたがって外方に拡がるように傾斜した傾斜面よりなることが好ましい（請求項２）。この傾斜面は、トッププレートの外周側端部の上面角部に設けてもよいし、厚み方向途中の部分に設けてもよい。
また、この場合、上記係合部の形状としては、上記傾斜面と当接する部分が点状または線状の形状とすることもできるが、面状とする方が安定するため好ましい。
【００１４】
すなわち、上記係合部は、上記傾斜面に対面する対向面を形成する傾斜当接片部を有していることが好ましい（請求項３）。この場合には、当接面積が多くなり、より安定的な係合状態が得られる。なお、上記傾斜面と傾斜当接片部との間には、両者を接着する接着剤等を介在させることもできる。
【００１５】
また、上記係合部は、上記トッププレートの裏面から略垂直に立ち上がった垂直立設片部と、該垂直立設片部の上端において略直角に折り曲げられて上記トッププレートの上記傾斜面に向かう上端フラット片部と、さらに上記傾斜面に対面して上記垂直立設片部に近づくように傾斜した上記傾斜当接片部とを有することが好ましい（請求項４）。この場合には、まず、上記垂直立設片部の存在によって隣接するカウンタ天板との間の間隔を少なくすることができる。また、上記上端フラット片部の存在によって、係合部の高さとトッププレートとの高さを同じにするか、その差を小さくすることができる。また、上記傾斜当接片部の存在によって、上記傾斜面との係合関係を強固に維持することができる。
【００１６】
また、上記上端フラット片部は、上記トッププレートの上面と面一となって表面に露出するよう設けられていることが好ましい（請求項５）。この場合には、上端フラット片部の上にシーリング材又はスペーサを配設することなく面一状態を形成することができるので、構成をより簡易化することができると共に、上記上端フラット片部の露出による意匠効果を得ることができる場合もある。
【００１７】
また、上記上端フラット片部は、上記トッププレートの上面よりも下方に位置するよう配設されており、その上面はシーリング材又は／及びスペーサにより覆われている構成をとることもできる（請求項６）。この場合には、上記係合部が外部から見えないようにすることができ、上記シーリング材又は／及びスペーサによって意匠性を調整することが可能となる。
【００１８】
また、上記係合部は、上記トッププレートの裏面から直接的に上記傾斜面と同じ角度に折り曲げられた上記傾斜当接片部を有しており、該傾斜当接片部の上方はシーリング材又は／及びスペーサにより覆われている構成を取ることもできる（請求項７）。この場合には、上記係合部に必要な機能を十分に維持したまま非常に簡単な構成とすることができる。
【００１９】
また、上記傾斜面は平面状であることが好ましい（請求項８）。この場合には、上記傾斜面の形成が比較的容易となる。なお、この平面状傾斜面の傾斜角度は、０°超え９０°未満の範囲から選択可能であるが、上記係合部との係合によるトッププレートとケーシングとの密着性向上効果を十分に発揮可能な範囲で設定することが好ましい。
最も好ましくは、上記傾斜角度は、３０°〜６０°の範囲にあることがよい（請求項９）。この範囲内とすることによって、上記密着性の向上を確実に図ることができる。
【００２０】
また、上記傾斜面は曲面状であってもよい（請求項１０）。曲面状としては、下に凹曲面状、凸曲面状等がある。
【００２１】
また、上記被係合部は、上記トッププレートの外周側端部において外方から内方へ窪んだ凹部よりなり、上記係合部は上記凹部に収容される凸部を有していることも好ましい（請求項１１）。この場合にも、上記被係合部として上記傾斜面を設けた場合と同様の作用効果が得られる。
【００２２】
また、上記被係合部は、上記トッププレートの外周側端部において外方へ突出した突出部よりなり、上記係合部は上記突出部を収容する収容部を有していることも好ましい（請求項１２）。この場合にも、上記被係合部として上記傾斜面を設けた場合と同様の作用効果が得られる。
【００２３】
また、上記係合部及び被係合部の形状が上記凸部及び凹部あるいは収容部及び突出部の組み合わせの場合においても、上記トッププレートの外周側端部の上記被係合部に上記係合部が係合している部位における、上記トッププレートの上面高さまでの間隙の少なくとも上面部分は、シーリング材又は／及びスペーサによって埋められていることが好ましい（請求項１３）。
いずれの場合においても、スペーサを用いる場合には、その配置スペースに対応する形状を有するものであってサイズの異なる複数のものを準備しておくことが好ましい。これにより、トッププレートの寸法公差によるばらつき等が生じた場合に、これをスペーサ寸法によって吸収することができ、よりいっそうフラット感を高めることができる。
【００２４】
また、上記トッププレートは、厚み２ｍｍ〜８ｍｍの結晶化ガラスよりなることが好ましい（請求項１４）。最近のキッチンカウンタに組み付ける調理器としては、そのトッププレートとして、意匠性、耐熱性、耐汚れ性、耐久性等に優れた結晶化ガラスよりなるトッププレートが採用されてきている。とくにこのような結晶化ガラスのトッププレートの場合には、基本的にこれ１枚でトッププレートとしての機能を果たすので、その厚みを上記厚みに限定した上で、その外周側端部の少なくとも一部に上記傾斜面を設けることによって、上述した本発明の優れた効果を得ることができる。
【００２５】
上記結晶化ガラスの厚みが２ｍｍ未満の場合には、衝撃強度及び静荷重強度が低下して破損しやすいという問題があり、一方、８ｍｍを超える場合には、製品重量の増大、コスト高、センシング機能の低下等の問題がある。
また、上記結晶化ガラスとしては、例えば、日本電気硝子製の「ネオセラム」等がある。
【００２６】
また、上記係合部と上記カウンタ天板との間の隙間を埋めるためにスペーサを用いる場合には、その材質は様々な材質を選択することができる。例えば、人造大理石、結晶化ガラス、ほう珪酸ガラス、ホーロー、耐熱樹脂等がある。また、スペーサの材質は、上記カウンタ天板の材質と同じであることが好ましく、この場合には、トッププレートとカウンタ天板とが直接的につながっているような意匠性を出すこともでき、よりいっそうフラットな感じを醸し出すことができる。
また、上記シーリング材としては、例えば、変性シリコン系、ウレタン系、エポキシ系、アクリル系、シリコン系、ポリサルファイド系等がある。
【実施例】
【００２７】
（実施例１）
本発明の実施例に係るキッチンカウンタにおける調理器の取付構造につき、図１、図２を用いて説明する。
本例のキッチンカウンタにおける調理器の取付構造１は、図１、図２に示すごとく、トッププレート５０の下方に調理器本体（図示略）を配設してなる調理器５を、キッチンカウンタのカウンタ天板２の取付穴２０に挿入し、上記トッププレート５０の外周部５５を上記取付穴２０の外周縁部に設けた段部２２に収容することによって、カウンタ天板２とトッププレート５０の高さを同じとするよう構成してなる取付構造である。
【００２８】
トッププレート５０の外周側端部５５の少なくとも一部には、その上面角部に、下方に行くに従って外方に拡がるように傾斜した傾斜面（被係合部）４１を設けてある。
また、調理器本体を収容したケーシング６の上面外周部には、上記トッププレート５０の裏面に当接する外周フランジ部６１が設けられている。
外周フランジ部６１の少なくとも一部は、トッププレート５０の裏面から外周側端部に折り返されると共に傾斜面４１に係合する係合部７１を有している。
係合部７１の上端位置は、トッププレート５０の上面と同じに設定されており、かつ、少なくとも係合部７１とカウンタ天板２との間の隙間は、シーリング材８１によって埋められている。
【００２９】
以下、これをさらに詳説する。
調理器５は、図２に示すごとく、カウンタ天板２に設けた四角形状の取付穴２０に挿入配設されるものであり、上面にトッププレート５０を備えると共に、奥側表面には、換気口部５８を備えている。本例では、トッププレート５０がカウンタ天板２との境界部まで存在する部位におけるカウンタ天板２との境界領域Ａの部位に上記取付構造１を採用し、境界領域Ｂの部位は、換気口部５８を構成する金属部材がカウンタ天板２の上面に被さる別の取付構造を採用した。なお、取付構造１を採用する部位については、トッププレート５０とカウンタ天板２との境界部の一部のみとしてもよく、要求意匠特性に応じて範囲を狭めたり拡げたりすることができる。上記取付構造１を採用しない部位については、従来の取付構造（図１１参照）などを採用してもよい。
【００３０】
上記トッププレート５０は、厚み４ｍｍの結晶化ガラスよりなり、上記境界領域Ａに面する外周側端部に、上記傾斜面４１を設けてある。傾斜面４１は、トッププレート５０の厚み方向の寸法の５０％以上の範囲に設けてあり、その傾斜角度αは４５°に設定した。
また、カウンタ天板２は、人造大理石よりなり、上記段部２２の上面からの深さは、上記トッププレート５０及びその裏面に位置する代襲外周フランジ部６１等を合わせた厚みに相当する寸法に設定した。なお、この段部２２は、本例ではカウンタ天板２に一体的に設けたが、別体で作製したものをカウンタ天板２の端部とずらして配設することによって上記段部２２とすることも可能である。
【００３１】
また、図１に示すごとく、上記調理器５の調理器本体を収容するケーシング６は、ステンレス鋼板よりなり、上述したごとく、その上面に上記トッププレート５０の裏面に当接する外周フランジ部６１を備えている。外周フランジ部６１は、その外周端において折り曲げられて上記係合部７１を一体的に有している。
【００３２】
係合部７１は、同図に示すごとく、トッププレート２０の裏面から略垂直に立ち上がった垂直立設片部７１１と、この垂直立設片部７１１の上端において略直角に折り曲げられてトッププレート５０の傾斜面４１に向かう上端フラット片部７１２と、さらに傾斜面４１に対面して垂直立設片部７１１に近づくように傾斜した上記傾斜当接片部７１３とを有している。本例では、傾斜当接片部７１３の先端が垂直立設片部７１１に当接して、係合部７１全体の剛性を高めている。
【００３３】
また、上端フラット片部７１２は、トッププレート５０の上面と面一となって表面に露出するよう設けられている。また、傾斜面４１と傾斜当接片部７１３との間には、両者を接合する接着剤８３を介在させてある。
また、係合部７１の垂直立設片部７１１とカウンタ天板２の端面２０１との間の間隙は、シーリング材８１により埋めて閉塞してある。
【００３４】
以上のように、本例のキッチンカウンタにおける調理器の取付構造１は、トッププレート５０の外周側端部に、傾斜面４１を積極的に設け、かつ、その傾斜面４１に係合すると共にその上端位置を上記のごとく制限した係合部７１を外周フランジ部６１に設けている。そのため、係合部７１を傾斜面４１に係合させることによって、外周フランジ部６１を有するケーシング６とトッププレート５０の密着性を十分に確保できる。すなわち、外周フランジ部６１とトッププレート５０との間が開く方向の外力が働いても、上記傾斜面４１への係合部７１の係合によって、それを阻止することができる。それ故、従来のようなトッププレート５０の上面に回り込むような枠体を設ける必要がない。
【００３５】
また、係合部７１の上端位置を、上記のごとく、トッププレート５０の上面と同じ位置に設定することにより、トッププレート５０とカウンタ天板２との間の境界部分に、これらの上面位置より上方に突出する要素を排除することができる。
また、係合部７１とカウンタ天板２との間の隙間は、シーリング材８１によって埋める構造をとることにより、トッププレート５０とカウンタ天板２との間から異物が侵入することを防止することもできる。
【００３６】
このように、本例によれば、トッププレート５０とその周囲のカウンタ天板２との高さが同じであると共に、その境界部分の高さも同じにすることが可能であり、かつ、調理器本体のケーシング６とトッププレート５０との密着性に優れたキッチンカウンタにおける調理器の取付構造１を提供することができる。
【００３７】
（実施例２）
本例は、図３に示すごとく、係合部７２の形状を実施例１のものとは異なる形状に変更すると共にスペーサ８２を採用した例である。
すなわち、同図に示すごとく、本例の係合部７２は、トッププレート５０の裏面から略垂直に立ち上がった垂直立設片部７２１と、垂直立設片部７２１の上端において略直角に折り曲げられてトッププレート５０の傾斜面４１に向かう上端フラット片部７２２と、さらに傾斜面４１に対面して垂直立設片部７２１に近づくように傾斜した傾斜当接片部７２３とを有する。そして、上端フラット片部７２２は、トッププレート５０の上面よりも下方に位置するよう配設されており、その上面はスペーサ８２により覆われている。また、傾斜面４１と傾斜当接片部７２１との間には、両者を接合する接着剤８３を介在させてある。
【００３８】
スペーサ８２の形状は、トッププレート５０の傾斜面４１、カウンタ天板２の端面２０１、係合部７２の上端フラット片部７２２、及びトッププレート５０とカウンタ天板２の上面位置によって囲まれる断面台形状の形状に対応した形状を有している。そして、このスペーサ８２は、シーリング材８１を介して接合されている。また、スペーサ８２の材質は、カウンタ天板２と同じ人造大理石とした。
その他の構成は実施例１と同様である。
【００３９】
本例の場合には、係合部７２の上面フラット部７２２の高さをトッププレート５０の高さよりも低くし、係合部７２全体をスペーサ８２により覆った。また、スペーサ８２の材質をカウンタ天板２と同じとした。これにより、トッププレート５０とカウンタ天板２とが連続して配設されたような外観が得られ、よりいっそうフラット感の高い意匠性を得ることができた。なお、上記スペーサとしては、サイズの異なる複数のものを準備しておき、トッププレートの寸法公差によるばらつきを吸収できて最もフラット感の出るものを採用した。その他、実施例１と同様の作用効果が得られる。
【００４０】
（実施例３）
本例は、図４に示すごとく、係合部７３の構造を実施例１と変更すると共にスペーサ８２２を採用した例である。
すなわち、同図に示すごとく、本例の係合部７３は、トッププレート５０の裏面から直接的に傾斜面４１と同じ角度に折り曲げられた傾斜当接片部７３１を有しており、傾斜当接片部７３１の上方はスペーサ８２２により覆われている。また、傾斜面４１と傾斜当接片部７３１との間には、両者を接合する接着剤８３を介在させてある。
【００４１】
スペーサ８２２の形状は、トッププレート５０の傾斜面４１、カウンタ天板２の端面２０１、係合部７３の上端フラット片部７２２、及びトッププレート５０とカウンタ天板２の上面位置によって囲まれる断面形状の形状にほぼ対応した形状を有している。そして、このスペーサ８２２は、シーリング材８１を介して接合されている。また、スペーサ８２２の材質は、実施例２の場合と同様にカウンタ天板２と同じ人造大理石とした。
その他の構成は実施例１と同様である。
【００４２】
本例の場合には、係合部７３の構成を実施例１、２と比べて簡単にして製造を容易化することができる。また、係合部７３全体をスペーサ８２２により覆ったので、実施例２の場合と同様に、よりいっそうフラット感の高い意匠性を得ることができた。なお、本例でも、上記スペーサとしては、サイズの異なる複数のものを準備しておき、トッププレートの寸法公差によるばらつきを吸収できて最もフラット感の出るものを採用した。その他、実施例１と同様の作用効果が得られる。
【００４３】
（実施例４）
本例は、図５に示すごとく、被係合部として傾斜面４４を採用したが、これをトッププレート５０の上面から一段下げて設けた例である。具体的には、トッププレート５０の裏面の外周側端部の角から略鉛直方向に設けた角側面部４４１を設け、その下から徐々に外方に拡がるように傾斜した傾斜面４４を設けた。
【００４４】
一方、係合部７４は、トッププレート５０の裏面から直接的に傾斜面４４と同じ角度に折り曲げられた傾斜当接片部７４１を有しており、傾斜当接片部７４１の上方はスペーサ８２３により覆われている。また、傾斜面４４と傾斜当接片部７４１との間には、両者を接合する接着剤８３を介在させてある。
【００４５】
スペーサ８２３の形状は、トッププレート５０の傾斜面４４、カウンタ天板２の端面２０１、係合部７４の傾斜当接片部７４１、及びトッププレート５０とカウンタ天板２の上面位置によって囲まれる断面台形状の形状に対応した形状を有している。そして、このスペーサ８２３は、シーリング材８１を介して接合されている。また、スペーサ８２３の材質は、カウンタ天板２と同じ人造大理石とした。
その他の構成は実施例１と同様である。
本例の場合にも、実施例１と同様の作用効果が得られる。
【００４６】
（実施例５）
本例は、図６に示すごとく、被係合部として、トッププレート５０の裏面の外周側端部の角から徐々に外方に拡がるように、かつ、滑らかにカーブしながら傾斜した曲面状傾斜面４５を設けた。
【００４７】
一方、係合部７５は、トッププレート５０の裏面から直接的に曲面状傾斜面４５と同じ曲面状にカーブしながら傾斜させた傾斜当接片部７５１を有しており、傾斜当接片部７５１の上方はスペーサ８２４により覆われている。また、曲面状傾斜面４５と傾斜当接片部７５１との間には、両者を接合する接着剤８３を介在させてある。
【００４８】
スペーサ８２４の形状は、トッププレート５０の曲面状傾斜面４５、カウンタ天板２の端面２０１、係合部７５の傾斜当接片部７５１、及びトッププレート５０とカウンタ天板２の上面位置によって囲まれる断面形状の形状に対応した形状を有している。そして、このスペーサ８２４は、シーリング材８１を介して接合されている。また、スペーサ８２３の材質は、カウンタ天板２と同じ人造大理石とした。
その他の構成は実施例１と同様である。
本例の場合にも、実施例１と同様の作用効果が得られる。
【００４９】
（実施例６）
本例は、図７に示すごとく、係合部と被係合部の形状を実施例１のものとは大きく異なる形状に変更した例である。
すなわち、同図に示すごとく、本例の被係合部は、トッププレート５０の外周側端部において外方から内方へ窪んだ凹部４６よりなる。一方、係合部７６はトッププレート２０の裏面から略垂直に立ち上がった垂直立設片部７６１と、この垂直立設片部７６１の上端において略直角に折り曲げられてトッププレート５０の凹部４６に収容される上端フラット片部７６２よりなる凸部を有している。上端フラット片部７６２の上記凹部４６に収容されていない部分の上方はスペーサ８２５により覆われている。
【００５０】
スペーサ８２５の形状は、トッププレート５０の外周側端部、カウンタ天板２の端面２０１、係合部７４の上端フラット片部７６２、及びトッププレート５０とカウンタ天板２の上面位置によって囲まれる断面四角形状の形状に対応した形状を有している。そして、このスペーサ８２５は、シーリング材８１を介して接合されている。また、凹部４６と上端フラット片部７６２よりなる凸部との間の隙間もシーリング材８１が充填されている。また、スペーサ８２５材質は、カウンタ天板２と同じ人造大理石とした。
その他の構成は実施例１と同様である。
本例の場合にも、実施例１と同様の作用効果が得られる。
【００５１】
（実施例７）
本例は、図８に示すごとく、係合部と被係合部の形状を実施例１のものとは異なる形状に変更した例である。
すなわち、同図に示すごとく、本例の被係合部は、トッププレート５０の外周側端部において外方から内方へ窪んだ凹部４７よりなる。この凹部４７は、トッププレート５０の上角から内方に向けて徐々に下がるように傾斜した傾斜面４７１と、内方から外方向けて徐々に下がるように傾斜した傾斜面４７２とを組み合わせて形成してある。
【００５２】
一方、係合部７７は、トッププレート５０の裏面から直接的に傾斜面４７２と同じ角度に折り曲げられ上記凹部４７に収容されると共に上記傾斜面４７２に対面する対向面を形成する傾斜当接片部（凸部）７７１を有しており、凸部７７１の上方はスペーサ８２６により覆われている。また、傾斜面４７２と傾斜当接片部７７１との間には、両者を接合する接着剤８３を介在させてある。
【００５３】
スペーサ８２６の形状は、トッププレート５０の傾斜面４７１、係合部７７の凸部７７１、トッププレート５０とカウンタ天板２の上面位置、及びカウンタ天板２の上角部２０２と接する傾斜面４７１と略平行な面によって囲まれる断面形状の形状にほぼ対応した形状を有している。そして、このスペーサ８２６は、シーリング材８１を介して接合されている。また、スペーサ８２６の材質は、実施例２の場合と同様にカウンタ天板２と同じ人造大理石とした。
その他の構成は実施例１と同様である。
本例の場合にも、実施例１と同様の作用効果が得られる。
【００５４】
（実施例８）
本例は、図９に示すごとく、係合部と被係合部の形状を実施例１のものとは大幅に異なる形状に変更した例である。
すなわち、同図に示すごとく、本例の被係合部は、トッププレート５０の外周側端部において外方へ突出した突出部４８よりなる。一方、係合部７８はトッププレート２０の裏面に当接した外周フランジ６１に溶接によって接合され、突出部４８を収容する収容部７８１を有するステンレス製のフレーム７８２を有している。そして、フレーム７８２の上方は、スペーサ８２７により覆われている。
【００５５】
スペーサ８２７の形状は、トッププレート５０の外周端面、カウンタ天板２の端面２０１、係合部７３の上端、及びトッププレート５０とカウンタ天板２の上面位置によって囲まれる断面四角形状の形状にほぼ対応した形状を有している。そして、このスペーサ８２７は、シーリング材８１を介して接合されている。また、スペーサ８２７の材質は、実施例２の場合と同様にカウンタ天板２と同じ人造大理石とした。
その他の構成は実施例１と同様である。
本例の場合にも、実施例１と同様の作用効果が得られる。
【図面の簡単な説明】
【００５６】
【図１】実施例１における、キッチンカウンタにおける調理器の取付構造を示す説明図。
【図２】実施例１における、キッチンカウンタにおける調理器の配置状態を示す説明図。
【図３】実施例２における、キッチンカウンタにおける調理器の取付構造を示す説明図。
【図４】実施例３における、キッチンカウンタにおける調理器の取付構造を示す説明図。
【図５】実施例４における、キッチンカウンタにおける調理器の取付構造を示す説明図。
【図６】実施例５における、キッチンカウンタにおける調理器の取付構造を示す説明図。
【図７】実施例６における、キッチンカウンタにおける調理器の取付構造を示す説明図。
【図８】実施例７における、キッチンカウンタにおける調理器の取付構造を示す説明図。
【図９】実施例８における、キッチンカウンタにおける調理器の取付構造を示す説明図。
【図１０】従来例における、キッチンカウンタにおける調理器の取付構造を示す説明図。
【図１１】従来例における、キッチンカウンタにおける調理器の取付構造の別例を示す説明図。
【符号の説明】
【００５７】
１  キッチンカウンタにおける調理器の取付構造
２  カウンタ天板
２０  取付穴
２２  段部
４１、４４  被係合部（傾斜面）
４５  被係合部（曲面状傾斜面）
４６、４７  被係合部（凹部）
４８  被係合部（突出部）
５０  トッププレート、
５５  外周部、
７１、７２、７３  係合部、
７１１、７２１  垂直立設片部、
７１２、７２２  上端フラット片部、
７１３、７２３、７３１傾斜当接片部、
８１  シーリング材、
８２、８２２  スペーサ
８３  接着剤
【図１】
2008161280.tif 000003
【図２】
2008161280.tif 000004
【図３】
2008161280.tif 000005
【図４】
2008161280.tif 000006
【図５】
2008161280.tif 000007
【図６】
2008161280.tif 000008
【図７】
2008161280.tif 000009
【図８】
2008161280.tif 000010
【図９】
2008161280.tif 000011
【図１０】
2008161280.tif 000012
【図１１】
2008161280.tif 000013
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
トッププレートの下方に調理器本体を配設してなる調理器を、キッチンカウンタのカウンタ天板の取付穴に挿入し、上記トッププレートの外周部を上記取付穴の外周縁部に設けた段部に収容することによって、上記カウンタ天板と上記トッププレートの高さを同じとするよう構成してなるキッチンカウンタにおける調理器の取付構造であって、
上記調理器本体を収容したケーシングの上面外周部には、上記トッププレートの下面に当接する外周フランジ部が設けられており、
該外周フランジ部の少なくとも一部には、上記トッププレートの上面ではない外周側端部の少なくとも一部に設けられた被係合部に係合する係合部を有しており、
上記係合部と上記被係合部とは、上記外周フランジ部と上記トッププレートとの間が開く方向の外力が働いても、それを阻止するように係合しており、
上記係合部の上端位置は、上記トッププレートの上面と同じ又はそれより低い位置に設定されており、
かつ、少なくとも上記係合部と上記カウンタ天板との間の隙間は、シーリング材又は／及びスペーサによって埋められていることを特徴とするキッチンカウンタにおける調理器の取付構造。
【請求項２】
請求項１において、上記被係合部は、上記トッププレートの外周側端部において下方に行くにしたがって外方に拡がるように傾斜した傾斜面よりなることを特徴とするキッチンカウンタにおける調理器の取付構造。
【請求項３】
請求項２において、上記係合部は、上記傾斜面に対面する対向面を形成する傾斜当接片部を有していることを特徴とするキッチンカウンタにおける調理器の取付構造。
【請求項４】
請求項３において、上記係合部は、上記トッププレートの下面から略垂直に立ち上がった垂直立設片部と、該垂直立設片部の上端において略直角に折り曲げられて上記トッププレートの上記傾斜面に向かう上端フラット片部と、さらに上記傾斜面に対面して上記垂直立設片部に近づくように傾斜した上記傾斜当接片部とを有することを特徴とするキッチンカウンタにおける調理器の取付構造。
【請求項５】
請求項４において、上記上端フラット片部は、上記トッププレートの上面と面一となって表面に露出するよう設けられていることを特徴とするキッチンカウンタにおける調理器の取付構造。
【請求項６】
請求項４において、上記上端フラット片部は、上記トッププレートの上面よりも下方に位置するよう配設されており、その上面はシーリング材又は／及びスペーサにより覆われていることを特徴とするキッチンカウンタにおける調理器の取付構造。
【請求項７】
請求項３において、上記係合部は、上記トッププレートの下面から直接的に上記傾斜面と同じ角度に折り曲げられた上記傾斜当接片部を有しており、該傾斜当接片部の上方はシーリング材又は／及びスペーサにより覆われていることを特徴とするキッチンカウンタにおける調理器の取付構造。
【請求項８】
請求項２〜７のいずれか１項において、上記傾斜面は平面状であることを特徴とするキッチンカウンタにおける調理器の取付構造。
【請求項９】
請求項８において、上記傾斜角度は、３０°〜６０°の範囲にあることを特徴とするキッチンカウンタにおける調理器の取り付け構造。
【請求項１０】
請求項２から７のいずれか１項において、上記傾斜面は曲面状であることを特徴とするキッチンカウンタにおける調理器の取付構造。
【請求項１１】
請求項１において、上記被係合部は、上記トッププレートの外周側端部において外方から内方へ窪んだ凹部よりなり、上記係合部は上記凹部に収容される凸部を有していることを特徴とするキッチンカウンタにおける調理器の取付構造。
【請求項１２】
請求項１において、上記被係合部は、上記トッププレートの外周側端部において外方へ突出した突出部よりなり、上記係合部は上記突出部を収容する収容部を有していることを特徴とするキッチンカウンタにおける調理器の取付構造。
【請求項１３】
請求項１１又は１２において、上記トッププレートの外周側端部の上記被係合部に上記係合部が係合している部位における、上記トッププレートの上面高さまでの間隙の少なくとも上面部分は、シーリング材又は／及びスペーサによって埋められていることを特徴とするキッチンカウンタにおける調理器の取付構造。
【請求項１４】
請求項１〜１３のいずれか１項において、上記トッププレートは、厚み２ｍｍ〜８ｍｍの結晶化ガラスよりなることを特徴とするキッチンカウンタにおける調理器の取付構造。
【手続補正２】
【補正対象書類名】明細書
【補正対象項目名】０００７
【補正方法】変更
【補正の内容】
【０００７】
本発明は、トッププレートの下方に調理器本体を配設してなる調理器を、キッチンカウンタのカウンタ天板の取付穴に挿入し、上記トッププレートの外周部を上記取付穴の外周縁部に設けた段部に収容することによって、上記カウンタ天板と上記トッププレートの高さを同じとするよう構成してなるキッチンカウンタにおける調理器の取付構造であって、
上記調理器本体を収容したケーシングの上面外周部には、上記トッププレートの下面（以下、適宜、トッププレートの裏面ともいう。）に当接する外周フランジ部が設けられており、
該外周フランジ部の少なくとも一部には、上記トッププレートの上面ではない外周側端部の少なくとも一部に設けられた被係合部に係合する係合部を有しており、
上記係合部と上記被係合部とは、上記外周フランジ部と上記トッププレートとの間が開く方向の外力が働いても、それを阻止するように係合しており、
上記係合部の上端位置は、上記トッププレートの上面と同じ又はそれより低い位置に設定されており、
かつ、少なくとも上記係合部と上記カウンタ天板との間の隙間は、シーリング材又は／及びスペーサによって埋められていることを特徴とするキッチンカウンタにおける調理器の取付構造にある（請求項１）。
【手続補正３】
【補正対象書類名】明細書
【補正対象項目名】００１５
【補正方法】変更
【補正の内容】
【００１５】
また、上記係合部は、上記トッププレートの下面から略垂直に立ち上がった垂直立設片部と、該垂直立設片部の上端において略直角に折り曲げられて上記トッププレートの上記傾斜面に向かう上端フラット片部と、さらに上記傾斜面に対面して上記垂直立設片部に近づくように傾斜した上記傾斜当接片部とを有することが好ましい（請求項４）。この場合には、まず、上記垂直立設片部の存在によって隣接するカウンタ天板との間の間隔を少なくすることができる。また、上記上端フラット片部の存在によって、係合部の高さとトッププレートとの高さを同じにするか、その差を小さくすることができる。また、上記傾斜当接片部の存在によって、上記傾斜面との係合関係を強固に維持することができる。
【手続補正４】
【補正対象書類名】明細書
【補正対象項目名】００１８
【補正方法】変更
【補正の内容】
【００１８】
また、上記係合部は、上記トッププレートの下面から直接的に上記傾斜面と同じ角度に折り曲げられた上記傾斜当接片部を有しており、該傾斜当接片部の上方はシーリング材又は／及びスペーサにより覆われている構成を取ることもできる（請求項７）。この場合には、上記係合部に必要な機能を十分に維持したまま非常に簡単な構成とすることができる。